(57)【要約】      （修正有）【課題】室内機の制御基板と室外機の制御基板とを共に取り換えた場合であっても機種固有情報をスムーズに復旧させることができる空気調和機を提供する。【解決手段】室外機と室内機を備える空気調和機において、室外機は、室外機用の第１の機種固有情報を記憶するための室外メモリ２９２を有する室外制御基板２９Ａを含む。室内機は、室内機用の第２の機種固有情報を記憶するための室内メモリ３５２を有する室内制御基板３５Ａと、無線通信するための無線通信制御基盤３５Ｂと、を含む。無線通信制御基盤は、第１の機種固有情報と、第２の機種固有情報とをバックアップとして記憶するための通信メモリを有する。【選択図】図３
2020133974.tif 000002
【特許請求の範囲】
【請求項１】
室外機を備え、前記室外機は、
前記室外機用の第１の機種固有情報を記憶するための室外メモリを有する室外制御基板を含み、
室内機をさらに備え、前記室内機は、
前記室内機用の第２の機種固有情報を記憶するための室内メモリを有する室内制御基板と、
無線通信するための無線通信制御基盤と、を含み、
前記無線通信制御基盤は、前記第１の機種固有情報と、前記第２の機種固有情報とをバックアップとして記憶するための通信メモリを有する、空気調和機。
【請求項２】
前記室外メモリに前記第２の機種固有情報が記憶されていない場合に前記第２の機種固有情報を前記室外メモリに記憶し、
前記通信メモリに前記第２の機種固有情報が記憶されていない場合に前記第２の機種固有情報を前記通信メモリに記憶し、
前記室内メモリに前記第１の機種固有情報が記憶されていない場合に前記第１の機種固有情報を前記室内メモリに記憶し、
前記通信メモリに前記第１の機種固有情報が記憶されていない場合に前記第１の機種固有情報を通信メモリに記憶する、請求項１に記載の空気調和機。
【請求項３】
前記室内メモリに記憶されている第２の機種固有情報と、前記室外メモリに記憶されている第２の機種固有情報とが異なる場合は、所定の条件が満たされた場合に、一方の第２の機種固有情報で他方の第２の機種固有情報を上書きし、
前記室外メモリに記憶されている第１の機種固有情報と、前記室内メモリに記憶されている第１の機種固有情報とが異なる場合は、所定の条件が満たされた場合に、一方の第１の機種固有情報で他方の第１の機種固有情報を上書きする、請求項１または２に記載の空気調和機。
【請求項４】
前記室内メモリに記憶されている前記第２の機種固有情報と、前記通信メモリに記憶されている第２の機種固有情報とが異なる場合は、所定の条件が満たされた場合に、一方の第２の機種固有情報で他方の第２の機種固有情報を上書きし、
前記室内メモリに記憶されている前記第１の機種固有情報と、前記通信メモリに記憶されている第１の機種固有情報とが異なる場合は、所定の条件が満たされた場合に、一方の第１の機種固有情報で他方の第１の機種固有情報を上書きする、請求項１から３のいずれか１項に記載の空気調和機。
【請求項５】
前記室外メモリに記憶されている前記第１の機種固有情報と、前記通信メモリに記憶されている第１の機種固有情報とが異なる場合は、所定の条件が満たされた場合に、一方の第１の機種固有情報で他方の第１の機種固有情報を上書きし、
前記室外メモリに記憶されている前記第２の機種固有情報と、前記通信メモリに記憶されている第２の機種固有情報とが異なる場合は、所定の条件が満たされた場合に、一方の第２の機種固有情報で他方の第２の機種固有情報を上書きする、請求項１から４のいずれか１項に記載の空気調和機。
【請求項６】
空気調和運転に利用されるデータ転送よりも前記室内メモリへの前記第２の機種固有情報の転送を優先し、
前記室内メモリへの前記第１の機種固有情報の転送は優先度を落とし、前記空気調和運転に利用されるデータ転送と並行して、前記室内メモリに前記第１の機種固有情報を転送し、
前記空気調和運転に利用されるデータ転送よりも前記室外メモリへの前記第１の機種固有情報の転送を優先し、
前記室外メモリへの前記第２の機種固有情報の転送の優先度を落とし、前記空気調和運転に利用されるデータ転送と並行して、前記室外メモリに前記第２の機種固有情報を転送し、
前記通信メモリへの前記第１および前記第２の機種固有情報の転送の優先度を落とし、前記空気調和運転に利用されるデータ転送と並行して、前記通信メモリに前記第１および第２の機種固有情報を転送する、請求項１から５のいずれか１項に記載の空気調和機。
【発明の詳細な説明】
【技術分野】
【０００１】
本発明は、空気調和機の技術に関し、特に室内機と室外機とを有する空気調和機およびネットワークシステムの技術に関する。
【背景技術】
【０００２】
従来から、室内機に制御基板やメモリなどを搭載し、室外機にも制御基板やメモリなどを搭載する空気調和機が知られている。たとえば、特開２０１３−２３８３４０公報（特許文献１）には、空気調和機が開示されている。特許文献１によると、この空気調和機は、室外機または室内機の制御基板が交換されたときに、交換後の新たな制御基板の不揮発メモリのデータ内容がデフォルト値であるか否かを判定する判定機能と、判定された不揮発メモリのデータ内容がデフォルト値であったときに、制御基板が交換された室外機または室内機に関する機能設定データを保存している他の室外機または室内機を探し出す検索機能と、検索機能により探し出された室外機または室内機が保存している機能設定データを基板交換後の室外機または室内機に転送して保存させる転送機能とを、室外機の制御装置および室内機の制御装置が備えているものである。
【０００３】
また、国際公開第２０１８／１４６７１８号パンフレット（特許文献２）には、空気調和装置が開示されている。特許文献２によると、空気調和装置は、配管接続により冷媒回路が構成される複数の空気調和機器が有する制御系装置が、それぞれ通信可能に第一伝送線で接続された空気調和装置であって、それぞれの空気調和機器は、空気調和機器における機能の設定に関する機能設定情報のデータを有し、第一伝送線以外の経路で、少なくとも１台の空気調和機器の制御系装置とデータのやりとりが可能なバックアップ機器に保存されたバックアップデータに基づいて、機能設定情報のデータの復元が行われるものである。
【先行技術文献】
【特許文献】
【０００４】
【特許文献１】特開２０１３−２３８３４０公報
【特許文献２】国際公開第２０１８／１４６７１８号パンフレット
【発明の概要】
【発明が解決しようとする課題】
【０００５】
本発明の目的は、室内機の制御基板と室外機の制御基板とを共に取り換えた場合であっても機種固有情報をスムーズに復旧させることができる空気調和機を提供することにある。
【課題を解決するための手段】
【０００６】
この発明のある態様に従うと、室外機と室内機を備える空気調和機が提供される。室外機は、室外機用の第１の機種固有情報を記憶するための室外メモリを有する室外制御基板を含む。室内機は、室内機用の第２の機種固有情報を記憶するための室内メモリを有する室内制御基板と、無線通信するための無線通信制御基盤と、を含む。無線通信制御基盤は、第１の機種固有情報と、第２の機種固有情報とをバックアップとして記憶するための通信メモリを有する。
【発明の効果】
【０００７】
以上のように、本発明によれば、室内機の制御基板と室外機の制御基板とを共に取り換えた場合であっても機種固有情報をスムーズに復旧させることができる空気調和機が提供される。
【図面の簡単な説明】
【０００８】
【図１】第１の実施の形態にかかる空気調和機１００の冷房運転時および除湿運転、除霜運転時の概略構成図である。
【図２】第１の実施の形態にかかる空気調和機１００の暖房運転時の概略構成図である。
【図３】第１の実施の形態にかかる室内制御部３５と室外制御部２９との構成を示すブロック図である。
【図４】第１の実施の形態にかかる機種固有データのバックアップとデータ復旧の概要を示すイメージ図である。
【図５】第１の実施の形態にかかる制御部の情報処理を示すフローチャートである。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気調和機１００の構成＞
【００１０】
まず、図１および図２を参照して、本実施の形態にかかる空気調和機１００の全体構成について説明する。本実施の形態にかかる空気調和機１００は、セパレート式の空気調和機であって、主に、室外機１０、室内機３０およびリモートコントローラ５０から構成されている。なお、空気調和機１００は、室外機１０と室内機３０とが冷媒配管１７および１８を介して接続されることによって構成されている。以下、室外機１０、室内機３０、リモートコントローラ５０、冷媒配管１７および１８について詳述する。
【００１１】
（１）室外機
室外機１０は、主に、筐体１１、圧縮機１２、四路切換弁１３、室外熱交換器１４、膨張弁１５、室外ファン１６、冷媒配管１７、冷媒配管１８、二方弁１９、三方弁２０、室外熱交換器温度センサ２１、吐出温度センサ２２、吸入温度センサ２３、室外熱交換器出口温度センサ２４、外気温度センサ２５および室外制御部２９から構成されている。なお、この室外機１０は、屋外に設置されている。
【００１２】
圧縮機１２は、吐出管１２ａおよび吸入管１２ｂを有している。吐出管１２ａおよび吸入管１２ｂは、それぞれ、四路切換弁１３の異なる接続口に接続されている。また、圧縮機１２は、通信線を介して室外制御部２９に通信接続されており、室外制御部２９から送信される制御信号に従って動作する。圧縮機１２は、運転時、吸入管１２ｂから低圧の冷媒ガスを吸入し、その冷媒ガスを圧縮して高圧の冷媒ガスを生成した後、その高圧の冷媒ガスを吐出管１２ａから吐出する。
【００１３】
四路切換弁１３は、冷媒配管を介して圧縮機１２の吐出管１２ａおよび吸入管１２ｂ、室外熱交換器１４ならびに室内熱交換器３２に接続されている。そして、この四路切換弁１３は、通信線を介して室外制御部２９に通信接続されており、室外制御部２９から送信される制御信号に従って動作する。これによって、四路切換弁１３は、運転時、室外制御部２９から送信される制御信号に従って、圧縮機１２の吐出管１２ａを室外熱交換器１４に連結させると共に圧縮機１２の吸入管１２ｂを室内熱交換器３２に連結させる冷房運転や除湿運転や除霜運転状態（図１参照）と、圧縮機１２の吐出管１２ａを室内熱交換器３２に連結させると共に圧縮機１２の吸入管１２ｂを室外熱交換器１４に連結させる暖房運転状態（図２参照）とを切り換える。
【００１４】
室外熱交換器１４は、左右両端で複数回折り返された伝熱管（図示せず）に多数の放熱フィン（図示せず）が取り付けられたもの（フィン＆チューブ型）であって、冷房運転時や除霜運転時（図１参照）には凝縮器として機能し、暖房運転時（図２参照）には蒸発器として機能する。なお、熱交換器としてパラレルフロー型熱交換器やサーペンタイン型熱交換器を用いてもよい。
【００１５】
膨張弁１５は、後述するステッピングモータを介して開度制御が可能な電子膨張弁である。膨張弁１５は、一方が冷媒配管１７を介して二方弁１９に接続されると共に、他方が室外熱交換器１４に接続されている。また、この膨張弁１５のステッピングモータは、通信線を介して室外制御部２９に通信接続されており、室外制御部２９から送信される制御信号に従って動作する。膨張弁１５は、運転時において、凝縮器（冷房運転時や除湿運転時や除霜運転時は室外熱交換器１４であり、暖房運転時は室内熱交換器３２である）から流出する高温高圧の液冷媒を蒸発しやすい状態に減圧すると共に、蒸発器（冷房運転時や除湿運転時や除霜運転時は室内熱交換器３２であり、暖房運転時は室外熱交換器１４である）への冷媒供給量を調節する役目を担っている。
【００１６】
室外ファン１６は、主に、プロペラファンおよびモータから構成されている。プロペラファンは、モータによって回転駆動され、屋外の外気を室外熱交換器１４に供給する。モータは、通信線を介して室外制御部２９に通信接続されており、室外制御部２９から送信される制御信号に従って動作する。
【００１７】
二方弁１９は、冷媒配管１７に配設されている。なお、二方弁１９は、室外機１０から冷媒配管１７が取り外されるときに閉じられ、冷媒が室外機１０から外部に漏れることを防ぐ。
【００１８】
三方弁２０は、冷媒配管１８に配設されている。なお、三方弁２０は、室外機１０から冷媒配管１８が取り外されるときに閉じられ、冷媒が室外機１０から外部に漏れることを防ぐ。また、室外機１０から、あるいは室内機３０を含めた冷凍サイクル全体から、冷媒を回収する必要があるときは、三方弁２０を通じて冷媒の回収が行われる。
【００１９】
温度センサ２１〜２５は、サーミスタである。室外熱交換器温度センサ２１は室外熱交換器１４に配置されており、吐出温度センサ２２は圧縮機１２の吐出管１２ａに配置されており、吸入温度センサ２３は圧縮機１２の吸入管１２ｂに配置されており、室外熱交換器出口温度センサ２４は室外熱交換器１４の出口付近の冷媒配管１７に配置されており、外気温度センサ２５は外気温度測定用であって筐体１１の内部の所定箇所に配置されている。より詳細には、外気温度センサ２５は、例えば、室外ファン１６によって室外熱交換器１４に供給される前の外気の温度を検知できる箇所に配置されることが好ましい。これらの温度センサ２１〜２５は、全て、通信線を介して室外制御部２９に通信接続されており、計測された温度に関する情報を室外制御部２９に送信している。
【００２０】
室外制御部２９は、通信線を介して圧縮機１２、四路切換弁１３、膨張弁１５、室外ファン１６、温度センサ２１〜２５に通信接続されている。たとえば、室外制御部２９のプロセッサは、随時、温度センサ２１〜２５の出力情報や、メモリに記憶される種々の制御パラメータ等を演算処理して適切な制御パラメータを導出し、その制御パラメータを、圧縮機１２や、四路切換弁１３、膨張弁１５、室外ファン１６に送信する。また、プロセッサは、必要に応じて、制御パラメータ等を室内制御部３５に送信したり、受信したりする。
【００２１】
（２）室内機
室内機３０は、主に、筐体３１、室内熱交換器３２、室内ファン３３、室内熱交換器温度センサ３４、室内温度センサ３７、室内制御部３５、フィルタ１０４、縦ルーバ（上下風向板）１０５、図示しない横ルーバ（左右風向板）から構成されている。
【００２２】
筐体３１には、室内熱交換器３２、室内ファン３３、室内熱交換器温度センサ３４、室内温度センサ３７、および室内制御部３５等が収納されている。縦ルーバ１０５は、筐体３１の一部を構成している。
【００２３】
室内熱交換器３２は、３個の熱交換器３２Ａ、３２Ｂ、３２Ｃを、室内ファン３３を覆う屋根（逆Ｖ字形、ラムダ型）のように組み合わせたものである。なお、各熱交換器３２Ａ、３２Ｂ、３２Ｃは、左右両端で複数回折り返された伝熱管（図示せず）に多数の放熱フィン（図示せず）が取り付けられたものであって、冷房運転時および除湿運転時や除霜運転時（図２参照）には蒸発器として機能し、暖房運転時（図３参照）には凝縮器として機能する。
【００２４】
室内ファン３３は、主に、クロスフローファンおよびモータから構成されている。クロスフローファンは、モータによって回転駆動され、室内の空気を吸い込み口１０２からフィルタ１０４を通して筐体３１に吸い込んで室内熱交換器３２に供給すると共に、室内熱交換器３２で熱交換された空気を吹き出し口１０３を介して室内に送出する。モータは、通信線を介して室内制御部３５に通信接続されており、室内制御部３５から送信される制御信号に従って動作する。
【００２５】
温度センサ３４は、サーミスタである。室内熱交換器温度センサ３４は室内熱交換器３２に配置されており、室内温度センサ３７は、室内温度を測定するものであって筐体３１内の吸込口付近に配置されている。温度センサ３４，３７は、通信線を介して室内制御部３５に通信接続されており、計測された温度に関する情報を室内制御部３５に送信している。
【００２６】
室内制御部３５は、通信線を介して室内ファン３３、温度センサ３４，３７などに通信接続されている。室内制御部３５のプロセッサは、随時、リモートコントローラ５０からの制御信号や、温度センサ３４，３７などの出力情報等を演算処理して適切な制御パラメータを導出し、その制御パラメータ等を、室内ファン３３などに送信する。また、プロセッサは、必要に応じて、制御パラメータ等を室外制御部２９に送信したり、制御パラメータ等を室外制御部２９から受信したりする。赤外線受光部３６は、リモートコントローラ５０から発生される点滅赤外線を受光するものである。この赤外線受光部３６は、点滅赤外線を信号化処理し、生成した信号を室内制御部３５に受け渡す。
【００２７】
なお、室外機１０の圧縮機１２、四路切換弁１３、室外熱交換器１４および膨張弁１５、ならびに室内機３０の室内熱交換器３２は、冷媒配管１７，１８によって順次接続され、冷媒回路（冷凍サイクル）を構成している。
【００２８】
（３）冷媒配管
冷媒配管１７は、冷媒配管１８よりも細い管であって、冷房運転時、除湿運転時および除霜運転時に液冷媒が流れる。冷媒配管１８は、冷媒配管１７よりも太い管であって、冷房運転時にガス冷媒が流れる。
＜制御部の構成＞
【００２９】
本実施の形態にかかる空気調和機１００は、上述した通り、室内制御部３５と室外制御部２９とを含む。以下では、図３を参照して、室内制御部３５と室外制御部２９とを含む制御部の構成について説明する。
【００３０】
室内制御部３５は、室内制御基板３５Ａと通信制御基板３５Ｂとを含む。室内制御基板３５Ａは、鉄や鉛などの金属ケースで覆われ、マイクロコンピュータ３５０や、ＲＡＭ（Random access memory）３５３や、ＲＯＭ（Read Only Memory）３５４や、シリアル通信インターフェース３５８などが配置される。マイクロコンピュータ３５０は、ＣＰＵ（Central Processing Unit）３５１や、フラッシュメモリ３５２を含む。フラッシュメモリ３５２は、コード領域３５２１とデータ領域３５２２とを含む。本実施の形態においては、データ領域３５２２には、空気清浄機２００の機種に固有の室内機用のデータと、空気清浄機２００の機種に固有の室外機用のデータが記憶される。データ領域３５２２には、自身の基板が量産機に取り付けられる量産基板かサービスマンが取り換え用に利用するサービス基板であるかを示すデータも記憶される。なお、フラッシュメモリ３５２は、不揮発性のメモリであればよい。
【００３１】
通信制御基板３５Ｂには、マイクロコンピュータ３５５や、ＷｉＦｉアンテナ３５９などが配置される。マイクロコンピュータ３５５は、ＣＰＵ３５６や、フラッシュメモリ３５７を含む。フラッシュメモリ３５７は、コード領域３５７１とデータ領域３５７２とを含む。本実施の形態においては、データ領域３５７２には、空気清浄機２００の機種に固有の室内機用のデータと、空気清浄機２００の機種に固有の室外機用のデータがバックアップとして記憶される。なお、フラッシュメモリ３５７は、不揮発性のメモリであればよい。
【００３２】
室外制御部２９は、室外制御基板２９Ａを含む。室外制御基板２９Ａは、鉄や鉛などの金属ケースで覆われ、マイクロコンピュータ２９０や、シリアル通信インターフェース２９８などが配置される。マイクロコンピュータ２９０は、ＣＰＵ２９１や、フラッシュメモリ２９２を含む。フラッシュメモリ２９２は、コード領域２９２１とデータ領域２９２２とを含む。そしてデータ領域２９２２には、空気清浄機２００の機種に固有の室内機用のデータと、空気清浄機２００の機種に固有の室外機用のデータとが記憶される。データ領域２９２２には、自身の基板が量産機に取り付けられる量産基板かサービスマンが取り換え用に利用するサービス基板であるかを示すデータも記憶される。なお、フラッシュメモリ２９２は、不揮発性のメモリであればよい。
【００３３】
このように、本実施の形態にかかる空気調和機１００においては、室内制御基板３５Ａのフラッシュメモリ３５２には、室内機のための機種固有情報だけでなく、室外機のための機種固有情報もバックアップされる。そして、室外制御基板２９Ａのフラッシュメモリ２９２には、室外機のための機種固有情報だけでなく、室内機のための機種固有情報もバックアップされる。さらに、通信制御基板３５Ｂのフラッシュメモリ３５７は、室外機のための機種固有情報と、室内機のための機種固有情報とをバックアップとして記憶する。
【００３４】
換言すれば、本実施の形態にかかる空気調和機１００においては、室内機のための機種固有情報は、室内制御基板３５Ａのフラッシュメモリ３５２だけでなく、室外制御基板２９Ａのフラッシュメモリ２９２や通信制御基板３５Ｂのフラッシュメモリ３５７にも記憶される。室外機のための機種固有情報は、室外制御基板２９Ａのフラッシュメモリ２９２だけでなく、室内制御基板３５Ａのフラッシュメモリ３５２や通信制御基板３５Ｂのフラッシュメモリ３５７にも記憶される。
【００３５】
次に、図４を参照して、本実施の形態にかかる機種固有情報のバックアップとデータの復旧について説明する。まず、図４（Ａ）に示すように、空気調和機１００がユーザ宅に設置された直後には、室内制御基板３５Ａのフラッシュメモリ３５２には、室内機のための機種固有情報が記憶され、室外制御基板２９Ａのフラッシュメモリ２９２には、室外機のための機種固有情報が記憶されている。
【００３６】
この状態で、初めて空気調和機１００の電源がＯＮされると、図４（Ｂ）に示すように、室内制御部３５は、室内制御基板３５Ａのフラッシュメモリ３５２に記憶されている室内機用の機種固有情報を室外機１０に転送する。これによって、室外制御基板２９Ａのフラッシュメモリ２９２に室内機用の機種固有情報がバックアップされる。なお当該バックアップは、急を要するものではないため、空気調和運転に関する各種のデータ送信と並行して実行してもよいし、空気調和運転の終了後などに実行してもよい。
【００３７】
同様に、通信制御基板３５Ｂのフラッシュメモリ３５７にも室内機用の機種固有情報がバックアップされる。なお当該バックアップは、急を要するものではないため、空気調和運転に関する各種のデータ送信と並行して実行してもよいし、空気調和運転の終了後などに実行してもよい。
【００３８】
そして、室外制御部２９は、室外制御基板２９Ａのフラッシュメモリ２９２に記憶されている室外機用の機種固有情報を室内機３０に転送する。これによって、室内制御基板３５Ａのフラッシュメモリ３５２に室外機用の機種固有情報がバックアップされる。なお当該バックアップは、急を要するものではないため、空気調和運転に関する各種のデータ送信と並行して実行してもよいし、空気調和運転の終了後などに実行してもよい。
【００３９】
同様に、通信制御基板３５Ｂのフラッシュメモリ３５７にも室外機用の機種固有情報がバックアップされる。なお当該バックアップは、急を要するものではないため、空気調和運転に関する各種のデータ送信と並行して実行してもよいし、空気調和運転の終了後などに実行してもよい。
【００４０】
次に、たとえば、室外機１０に不具合が生じた場合などに、サービスマンが室外機１０の制御基板２９Ａを交換する場合がある。交換後は、図４の（Ｃ）に示すように、室外制御基板２９Ａのフラッシュメモリ２９２には、室外機１０の機種固有情報が格納されていない。
【００４１】
この状態で、空気調和機１００の電源がＯＮされると、図４（Ｄ）に示すように、室内制御部３５は、室内制御基板３５Ａのフラッシュメモリ３５２に記憶されている室外機用の機種固有情報を室外機１０に転送する。これによって、室外制御基板２９Ａのフラッシュメモリ２９２に室外機用の機種固有情報が格納される。なお当該バックアップは、急を要するものであるため、空気調和運転のデータよりも優先して室外機１０に転送して格納させる必要がある。
【００４２】
その後、室内制御部３５は、室内制御基板３５Ａのフラッシュメモリ３５２に記憶されている室内機用の機種固有情報を室外機１０に転送する。これによって、室外制御基板２９Ａのフラッシュメモリ２９２に室内機用の機種固有情報がバックアップされる。なお当該バックアップは、急を要するものではないため、空気調和運転に関する各種のデータ送信と並行して実行してもよいし、空気調和運転の終了後などに実行してもよい。
【００４３】
なお、図示しないが、室内機３０に不具合が生じた場合などに、サービスマンが室外機１０の制御基板２９Ａを交換する場合も同様である。より詳細には、交換後は、室内制御基板３５Ａのフラッシュメモリ３５２には、室内機の機種固有情報が格納されていない。
【００４４】
この状態で、空気調和機１００の電源がＯＮされると、室外制御基板２９Ａのフラッシュメモリ２９２に記憶されている室内機用の機種固有情報が室内機３０に転送される。これによって、室内制御基板３５Ａのフラッシュメモリ３５２に室内機用の機種固有情報が格納される。なお当該バックアップは、急を要するものであるため、空気調和運転のデータよりも優先して室内機３０に転送して格納させる必要がある。
【００４５】
その後、室外制御基板２９Ａのフラッシュメモリ２９２に記憶されている室外機用の機種固有情報が室内機３０に転送される。これによって、室内制御基板３５Ａのフラッシュメモリ３５２に室外機用の機種固有情報がバックアップされる。なお当該バックアップは、急を要するものではないため、空気調和運転に関する各種のデータ送信と並行して実行してもよいし、空気調和運転の終了後などに実行してもよい。
【００４６】
ただし、室内制御基板３５Ａのフラッシュメモリ３５２へは、通信制御基板３５Ｂにバックアップされている室内機用の機種固有情報と室外機用の機種固有情報が転送されてもよい。
【００４７】
次に、サービスマンが、室外機１０の制御基板２９Ａと室内機３０の制御基板３５Ａの両方を交換した場合について説明する。交換後は、図４（Ｅ）に示すように、室内制御基板３５Ａのフラッシュメモリ３５２には室内機の機種固有情報が格納されておらず、室外制御基板２９Ａのフラッシュメモリ２９２には室外機の機種固有情報が格納されていない。
【００４８】
この状態で、空気調和機１００の電源がＯＮされると、図４（Ｆ）に示すように、室内制御部３５は、通信制御基板３５Ｂのフラッシュメモリ３５７に記憶されている室内機用の機種固有情報と室外機用の機種固有情報を取得して、フラッシュメモリ３５２に記憶する。この転送は、急を要するものであるため、空気調和運転のデータよりも優先して室内機３０に転送して格納させる必要がある。
【００４９】
そして、室内制御部３５は、室内制御基板３５Ａのフラッシュメモリ３５２に記憶されている室外機用の機種固有情報を室外機１０に転送する。これによって、室外制御基板２９Ａのフラッシュメモリ２９２に室外機用の機種固有情報が格納される。なお当該バックアップは、急を要するものであるため、空気調和運転のデータよりも優先して室外機１０に転送して格納させる必要がある。
【００５０】
その後、室内制御部３５は、室内制御基板３５Ａのフラッシュメモリ３５２に記憶されている室内機用の機種固有情報を室外機１０に転送する。これによって、室外制御基板２９Ａのフラッシュメモリ２９２に室内機用の機種固有情報がバックアップされる。なお当該バックアップは、急を要するものではないため、空気調和運転に関する各種のデータ送信と並行して実行してもよいし、空気調和運転の終了後などに実行してもよい。
【００５１】
より詳細には、本実施の形態においては、室内制御部３５のＣＰＵ３５１または室外制御部２９のＣＰＵ２９１（説明のために以下では制御部という。）は、電源アダプタがコンセントに差し込まれた際や、電源をＯＮされた際や、運転を開始した際など、室内制御部３５と室外制御部２９とが通信を開始した際に図５に示す処理を実行する。ただし、空気調和運転を終了したときや、定期的に以下の処理を実行してもよい。
【００５２】
まず、制御部は、室内制御基板３５Ａのフラッシュメモリ３５２をチェックして、室内機用の機種固有情報が格納されているか否かを判断する（ステップＳ１０２）。室内機用の機種固有情報が格納されていない場合（ステップＳ１０２にてＮＯである場合）、制御部は、室内機用の機種固有情報が室外制御基板２９Ａのフラッシュメモリ２９２や通信制御基板３５Ｂのフラッシュメモリ３７２にバックアップされているか否かを判断する（ステップＳ１０４）。
【００５３】
室内機用の機種固有情報がバックアップされている場合（ステップＳ１０４にてＹＥＳである場合）、制御部は、室外制御基板２９Ａのフラッシュメモリ２９２や通信制御基板３５Ｂのフラッシュメモリ３７２から室内機の機種固有情報を取得して室内制御基板３５Ａのフラッシュメモリ３５２に格納する（ステップＳ１０６）。
【００５４】
室内機用の機種固有情報がいずれにもバックアップされていない場合（ステップＳ１０４にてＮＯである場合）、制御部は、表示部やスピーカなどを介して外部にエラーを通知する（ステップＳ１１０）。
【００５５】
一方、室内機用の機種固有情報が格納されている場合（ステップＳ１０２にてＹＥＳである場合）、制御部は、室外制御基板２９Ａのフラッシュメモリ２９２をチェックして、室外機用の機種固有情報が格納されているか否かを判断する（ステップＳ１１２）。室外機用の機種固有情報が格納されていない場合（ステップＳ１１０にてＮＯである場合）、制御部は、室外機用の機種固有情報が室内制御基板３５Ａのフラッシュメモリ３５２や通信制御基板３５Ｂのフラッシュメモリ３７２にバックアップされているか否かを判断する（ステップＳ１１４）。
【００５６】
室外機用の機種固有情報がバックアップされている場合（ステップＳ１１４にてＹＥＳである場合）、制御部は、室内制御基板３５Ａのフラッシュメモリ３５２や通信制御基板３５Ｂのフラッシュメモリ３７２から室外機１０の機種固有情報を取得して室外制御基板２９Ａのフラッシュメモリ２９２に格納する（ステップＳ１１６）。
【００５７】
室外機用の機種固有情報がいずれにもバックアップされていない場合（ステップＳ１１４にてＮＯである場合）、制御部は、エラーを通知する（ステップＳ１１０）。
【００５８】
室外機用の機種固有情報が格納されている場合（ステップＳ１１２にてＹＥＳである場合）、制御部は、室内制御基板３５Ａのフラッシュメモリ３５２に室外機の機種固有情報が格納されているか否かを判断する（ステップＳ１２２）。室内制御基板３５Ａのフラッシュメモリ３５２に室外機の機種固有情報が格納されていない場合（ステップＳ１２２にてＮＯである場合）、制御部は、室外制御基板２９Ａのフラッシュメモリ２９２のデータを取得して、室内制御基板３５Ａのフラッシュメモリ３５２に室外機の機種固有情報をコピーする（ステップＳ１２４）。
【００５９】
制御部は、室外制御基板２９Ａのフラッシュメモリ２９２に室内機の機種固有情報が格納されているか否かを判断する（ステップＳ１２６）。室外機１０に室内機の機種固有情報が格納されていない場合（ステップＳ１２６にてＮＯである場合）、制御部は、室内制御基板３５Ａのフラッシュメモリ３５２のデータを取得して、室外制御基板２９Ａのフラッシュメモリ２９２に室内機の機種固有情報をコピーする（ステップＳ１２８）。
【００６０】
制御部は、通信制御基板３５Ｂのフラッシュメモリ３７２に室内機の機種固有情報や室外機の機種固有情報が格納されているか否かを判断する（ステップＳ１３０）。通信制御基板３５Ｂに室内機の機種固有情報または室外機の機種固有情報が格納されていない場合（ステップＳ１３０にてＮＯである場合）、制御部は、室内制御基板３５Ａのフラッシュメモリ３５２のデータまたは室外制御基板２９Ａのフラッシュメモリ２９２のデータを取得して、通信制御基板３５Ｂに室内機の機種固有情報または室外機の機種固有情報をコピーする（ステップＳ１３２）。
＜第２の実施の形態＞
【００６１】
上記の実施の形態に加えて、空気調和機１００の電源がＯＮされた際に、室内制御基板３５Ａに記憶されている室外機の機種固有情報と室外制御基板２９Ａに記憶されている室外機の機種固有情報とが同じであるか否かを判断してもよい。そして、異なる場合には、たとえば、サービス基板と量産基板とが矛盾するデータを記憶している場合、量産基板のデータを信頼して、サービス基板の方を書き替えることが好ましい。
【００６２】
同様に、室内制御基板３５Ａに記憶されている室内機の機種固有情報と室外制御基板２９Ａに記憶されている室内機の機種固有情報とが異なる場合には、たとえば、サービス基板と量産基板とが矛盾するデータを記憶している場合、量産基板のデータを信頼して、サービス基板の方を書き替えることが好ましい。
【００６３】
さらには、通信制御基板３５Ｂと室内制御基板３５Ａとのデータが異なる場合や、通信制御基板３５Ｂと室外制御基板２９Ａとのデータが異なる場合も、量産基板の機器固有情報に基づいてサービス基板のデータを書き替えることが好ましい。
【００６４】
なお、書き換えの優先順位はこのような形態には限られない。たとえば、フラッシュメモリ３５２に室内制御基板３５Ａの通電時間を記憶し、フラッシュメモリ２９２に室外制御基板２９Ａの通電時間を記憶し、フラッシュメモリ３７２に通信制御基板３５Ｂの通電時間を記憶して、室内制御基板３５Ａと室外制御基板２９Ａのデータが異なる場合や、通信制御基板３５Ｂと室内制御基板３５Ａとのデータが異なる場合や、通信制御基板３５Ｂと室外制御基板２９Ａとのデータが異なる場合に、通電時間が長い方の制御基板の機種固有情報データを信頼して、通電時間が長い方の制御基板の機種固有情報データで通電時間が短い方の機種固有情報データを書き換えてもよい。
【００６５】
あるいは単に、室内制御基板３５Ａと室外制御基板２９Ａのデータが異なる場合や、通信制御基板３５Ｂと室内制御基板３５Ａとのデータが異なる場合や、通信制御基板３５Ｂと室外制御基板２９Ａとのデータが異なる場合に、バージョンが新しい方の制御基板のデータを信頼して、バージョンが新しい方の制御基板の機種固有情報データで古い方の機種固有情報データを書き換えてもよい。
＜第４の実施の形態＞
【００６６】
上記の実施の形態においては、室内制御基板３５Ａのデータ領域３５２２や室外制御基板２９Ａのデータ領域２９２２のデータのバックアップについて説明したが、上記の機能や処理や構成は、室内制御基板３５Ａのコード領域３５２１や室外制御基板２９Ａのコード領域２９２１のデータのバックに適用してもよいし、その他の種類のデータのバックアップに適用してもよい。
＜まとめ＞
【００６７】
上記の実施の形態においては、室外機と室内機を備える空気調和機が提供される。室外機は、室外機用の第１の機種固有情報を記憶するための室外メモリを有する室外制御基板を含む。室内機は、室内機用の第２の機種固有情報を記憶するための室内メモリを有する室内制御基板と、無線通信するための無線通信制御基盤と、を含む。無線通信制御基盤は、第１の機種固有情報と、第２の機種固有情報とをバックアップとして記憶するための通信メモリを有する。
【００６８】
好ましくは、室外メモリに第２の機種固有情報が記憶されていない場合に第２の機種固有情報を室外メモリに記憶する。通信メモリに第２の機種固有情報が記憶されていない場合に第２の機種固有情報を通信メモリに記憶する。室内メモリに第１の機種固有情報が記憶されていない場合に第１の機種固有情報を室内メモリに記憶する。通信メモリに第１の機種固有情報が記憶されていない場合に第１の機種固有情報を通信メモリに記憶する。
【００６９】
好ましくは、室内メモリに記憶されている第２の機種固有情報と、室外メモリに記憶されている第２の機種固有情報とが異なる場合は、所定の条件が満たされた場合に、一方の第２の機種固有情報で他方の第２の機種固有情報を上書きする。室外メモリに記憶されている第１の機種固有情報と、室内メモリに記憶されている第１の機種固有情報とが異なる場合は、所定の条件が満たされた場合に、一方の第１の機種固有情報で他方の第１の機種固有情報を上書きする。
【００７０】
好ましくは、室内メモリに記憶されている第２の機種固有情報と、通信メモリに記憶されている第２の機種固有情報とが異なる場合は、所定の条件が満たされた場合に、一方の第２の機種固有情報で他方の第２の機種固有情報を上書きする。室内メモリに記憶されている第１の機種固有情報と、通信メモリに記憶されている第１の機種固有情報とが異なる場合は、所定の条件が満たされた場合に、一方の第１の機種固有情報で他方の第１の機種固有情報を上書きする。
【００７１】
好ましくは、室外メモリに記憶されている第１の機種固有情報と、通信メモリに記憶されている第１の機種固有情報とが異なる場合は、所定の条件が満たされた場合に、一方の第１の機種固有情報で他方の第１の機種固有情報を上書きする。室外メモリに記憶されている第２の機種固有情報と、通信メモリに記憶されている第２の機種固有情報とが異なる場合は、所定の条件が満たされた場合に、一方の第２の機種固有情報で他方の第２の機種固有情報を上書きする。
【００７２】
好ましくは、空気調和運転に利用されるデータ転送よりも室内メモリへの第２の機種固有情報の転送を優先する。室内メモリへの第１の機種固有情報の転送は優先度を落とし、空気調和運転に利用されるデータ転送と並行して、室内メモリに第１の機種固有情報を転送する。空気調和運転に利用されるデータ転送よりも室外メモリへの第１の機種固有情報の転送を優先する。室外メモリへの第２の機種固有情報の転送の優先度を落とし、空気調和運転に利用されるデータ転送と並行して、室外メモリに第２の機種固有情報を転送する。通信メモリへの第１および第２の機種固有情報の転送の優先度を落とし、空気調和運転に利用されるデータ転送と並行して、通信メモリに第１および第２の機種固有情報を転送する。
【００７３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７４】
１０      ：室外機
１１      ：筐体
１２      ：圧縮機
１２ａ    ：吐出管
１２ｂ    ：吸入管
１３      ：四路切換弁
１４      ：室外熱交換器
１５      ：膨張弁
１６      ：室外ファン
１７      ：冷媒配管
１８      ：冷媒配管
１９      ：二方弁
２０      ：三方弁
２１      ：室外熱交換器温度センサ
２２      ：吐出温度センサ
２３      ：吸入温度センサ
２４      ：室外熱交換器出口温度センサ
２５      ：外気温度センサ
２９      ：室外制御部
２９Ａ    ：室外制御基板
３０      ：室内機
３１      ：筐体
３２      ：室内熱交換器
３２Ａ    ：熱交換器
３２Ｂ    ：熱交換器
３２Ｃ    ：熱交換器
３３      ：室内ファン
３４      ：室内熱交換器温度センサ
３５      ：室内制御部
３５Ａ    ：室内制御基板
３５Ｂ    ：通信制御基板
３６      ：赤外線受光部
３７      ：室内温度センサ
５０      ：リモートコントローラ
１００    ：空気調和機
１０２    ：吸い込み口
１０３    ：吹き出し口
１０４    ：フィルタ
１０５    ：縦ルーバ
２００    ：空気清浄機
２９０    ：マイクロコンピュータ
２９１    ：ＣＰＵ
２９２    ：フラッシュメモリ
２９８    ：シリアル通信インターフェース
３５０    ：マイクロコンピュータ
３５１    ：ＣＰＵ
３５２    ：フラッシュメモリ
３５５    ：マイクロコンピュータ
３５６    ：ＣＰＵ
３５７    ：フラッシュメモリ
３５８    ：シリアル通信インターフェース
３５９    ：ＷｉＦｉアンテナ
３７２    ：フラッシュメモリ
２９２１  ：コード領域
２９２２  ：データ領域
３５２１  ：コード領域
３５２２  ：データ領域
３５７１  ：コード領域
３５７２  ：データ領域
【図１】
2020133974.tif 000003
【図２】
2020133974.tif 000004
【図３】
2020133974.tif 000005
【図４】
2020133974.tif 000006
【図５】
2020133974.tif 000007